(57)【特許請求の範囲】
【請求項１】
第１の熱源と、第２の熱源と、外部の空気を導入する第１のダクトと、前記第１のダクトに連接する第２のダクトと、送風機と、を備え、
前記送風機は、前記送風機の筐体が第１の面と第２の面と、を有し、
前記第１の面は第１の吸気口を有し、前記第２の面は第２の吸気口を有し、
前記第１のダクトは、前記第１の熱源と前記第２の熱源との間の領域に設けられ、前記第１の吸気口に通じ、
前記第２のダクトは、前記第２の吸気口に通じる、
電子機器。
【請求項２】
前記第１のダクトを流れる空気は、前記第１のダクトと前記第２のダクトとが連接する連接部と、前記第１の吸気口と、に流入し、
前記連接部を介して前記第２のダクトへ流れた空気は、前記第２の吸気口に流入する、
請求項１に記載の電子機器。
【請求項３】
前記第２の熱源に熱的に接触した導熱板、を更に備え、
前記導熱板は、前記第２のダクトの内壁面に露出する、
請求項１または２に記載の電子機器。
【請求項４】
前記第１のダクトにおける空気の流れ方向と、前記送風機による空気の排気方向とは、異なる方向である、
請求項１〜３のいずれか１項に記載の電子機器。
【請求項５】
前記第１の熱源に熱的に接触する放熱板、を更に備え、
前記放熱板は、前記第１のダクトの内壁面に露出する、
請求項１〜４のいずれか１項に記載の電子機器。
【請求項６】
前記放熱板は、所定のピッチで離間した複数のフィンを有し、
前記フィンのピッチよりも、前記フィンの先端と前記第１の面との距離の方が長い、
請求項５に記載の電子機器。
【請求項７】
前記第１のダクトは、空気の流れに垂直な方向の断面が矩形状で形成され、
前記第１のダクトと前記第２のダクトとが連接する連接部が、前記矩形状の長手方向一方の端に配置される、
請求項２〜６のいずれか１項に記載の電子機器。
【請求項８】
前記第１の熱源は、撮像センサである、
請求項１〜７のいずれか１項に記載の電子機器。
【請求項９】
前記第２の熱源は、ＩＣである、
請求項１〜８のいずれか１項に記載の電子機器。
【請求項１０】
前記電子機器は、ジンバルに装着される、
請求項１〜９のいずれか１項に記載の電子機器。
【発明の詳細な説明】
【技術分野】
【０００１】
本開示は、電子機器に関する。
【背景技術】
【０００２】
複数の熱源に対応して複数のダクトを備える電子機器が知られている（例えば特許文献１参照）。この電子機器は、第１熱源と第２熱源との間に配置され、第１熱源の熱を外部に放熱する第１ダクトと、第１熱源を第１ダクトとの間に挟む位置に配置され、第２熱源の熱を外部に放熱する第２ダクトと、を備える。また、電子機器は、第２ダクトを第１熱源との間に挟む位置に配置された第３熱源と、第３熱源と第２ダクトとの間に配置され、第３熱源の熱を外部に放熱する第３ダクトと、を備える。外気を吸気するための送風機は、第２ダクトと第３ダクトとの間に設けられる。外気は、第１ダクト、第２ダクトを通り、送風機の第１吸入部に流れ込む。また、外気は、第３ダクトを通り、送風機の第２吸入部に流れ込む。送風機は、ファン回転軸に沿う方向の両側に設けた上記の第１吸入部及び第２吸入部から吸気する両面吸気として使用される。
【先行技術文献】
【特許文献】
【０００３】
【特許文献１】特開２０１８−１６４２５０号公報
【発明の概要】
【発明が解決しようとする課題】
【０００４】
上記の電子機器は、複数の熱源で発生する熱を複数のダクトユニットで分断して、各熱源を冷却するので、独立したダクトが重複して設けられる分、装置が大型化する。また、１つの熱源を冷やした空気が外部に排気されるので、熱源の冷却効率があまり高くない。即ち、未だ冷却能力のある外気が排気され、非効率である。また、このため外気を搬送するエネルギーが増大し、大型の送風機が必要となる可能性があり、これによっても装置が大型化する。
【課題を解決するための手段】
【０００５】
一態様において、電子機器は、第１の熱源と、第２の熱源と、外部の空気を導入する第１のダクトと、第１のダクトに連接する第２のダクトと、送風機と、を備える。送風機は、送風機の筐体が第１の面と第２の面と、を有する。第１の面は第１の吸気口を有する。第２の面は第２の吸気口を有する。第１のダクトは、第１の熱源と第２の熱源との間の領域に設けられ、第１の吸気口に通じる。第２のダクトは、第２の吸気口に通じる。
【０００６】
第１のダクトを流れる空気は、第１のダクトと第２のダクトとが連接する連接部と、第１の吸気口と、に流入してよい。連接部を介して第２のダクトへ流れた空気は、第２の吸気口に流入してよい。
【０００７】
電子機器は、第２の熱源に熱的に接触した導熱板、を更に備えてよい。導熱板は、第２のダクトの内壁面に露出してよい。
【０００８】
第１のダクトにおける空気の流れ方向と、送風機による空気の排気方向とは、異なる方向でよい。
【０００９】
電子機器は、第１の熱源に熱的に接触する放熱板、を更に備えてよい。放熱板は、第１のダクトの内壁面に露出してよい。
【００１０】
放熱板は、所定のピッチで離間した複数のフィンを有してよい。フィンのピッチよりも、フィンの先端と第１の面との距離の方が長くてよい。
【００１１】
第１のダクトは、空気の流れに垂直な方向の断面が矩形状で形成されてよい。第１のダクトと第２のダクトとが連接する連接部が、矩形状の長手方向一方の端に配置されてよい。
【００１２】
第１の熱源は、撮像センサでよい。
【００１３】
第２の熱源は、ＩＣでよい。
【００１４】
電子機器は、ジンバルに装着されてよい。
【００１５】
なお、上記の発明の概要は、本開示の特徴の全てを列挙したものではない。また、これらの特徴群のサブコンビネーションもまた、発明となりうる。
【図面の簡単な説明】
【００１６】
【図１】本開示の実施の形態に係る電子機器を前側から見た斜視図
【図２】図１に示した電子機器の正面図
【図３】図１に示した電子機器を後側から見た斜視図
【図４】図２のＡ−Ａ断面図
【図５】図２のＢ−Ｂ断面図
【図６】図３に示した背面カバーを取り外した電子機器の斜視図
【図７】図３に示した背面カバーを前側から見た斜視図
【発明を実施するための形態】
【００１７】
以下、発明の実施形態を通じて本開示を説明するが、以下の実施形態は特許請求の範囲に係る発明を限定するものではない。実施形態の中で説明されている特徴の組み合わせの全てが発明の解決手段に必須とは限らない。
【００１８】
特許請求の範囲、明細書、図面、及び要約書には、著作権による保護の対象となる事項が含まれる。著作権者は、これらの書類の何人による複製に対しても、特許庁のファイル又はレコードに表示される通りであれば異議を唱えない。ただし、それ以外の場合、一切の著作権を留保する。
【００１９】
図１は、本開示の実施形態に係る電子機器を前側から見た斜視図である。なお、本明細書中、上下前後左右の方向は、図１に示した矢印の方向に従うものとする。
本実施形態に係る電子機器は、レンズ交換式のカメラモジュール１１である。なお、電子機器は、これに限定されず、例えばデジタルビデオカメラなどのその他の撮像装置であってもよい。
【００２０】
カメラモジュール１１は、機器筐体１３を有する。機器筐体１３は、前面カバー１５と背面カバー１７（図３）とからなる。機器筐体１３は、内方に撮像センサ１９（図４）を備える。本実施形態において、撮像センサ１９は、第１の熱源となる。カメラモジュール１１は、前面カバー１５の前面に、レンズユニットやマウントアダプタと結合するためのマウント２１を備える。マウント２１には、電気接点２３が複数設けられている。電気接点２３は、レンズユニットやマウントアダプタと通信する。
【００２１】
マウント２１は、レンズユニットやマウントアダプタを固定するための固定機構２５を備える。固定機構２５は、ノブ２７を時計回りに回転させることでレンズユニットやマウントアダプタを固定することができる。
【００２２】
図２は、図１に示した電子機器の正面図である。
機器筐体１３のマウント２１の内方には、撮像センサ１９が配置される。撮像センサ１９の受光面には、マウント２１に結合されたレンズユニットからの撮像光が入射する。この撮像センサ１９の裏側には、第１のダクト２９（図４）、印刷回路基板３１（図６）、ＩＣ３３(Integrated Circuit)（図４）、第２のダクト３５（図５）、送風機３７（図６）などが配置されている。本実施形態において、ＩＣ３３は、第２の熱源となる。
【００２３】
図３は、図１に示した電子機器を後側から見た斜視図である。
カメラモジュール１１の裏面には、外気を取り込む吸気口３９が上側に設けられている。カメラモジュール１１の裏面の下側には、吸気口３９から取り込まれた外気を排気する排気口４１が設けられている。カメラモジュール１１は、内方に設けられた送風機３７を駆動することで、外気を吸気口３９から取り込み、撮像センサ１９やＩＣ３３を冷却することで、熱交換された外気を排気として排気口４１から外部へ排出する。
【００２４】
図４は、図２のＡ−Ａ断面図である。図５は、図２のＢ−Ｂ断面図である。
図４に示すように、カメラモジュール１１は、撮像センサ１９と、ＩＣ３３と、吸気口３９から外部の空気を導入する第１のダクト２９と、第１のダクト２９に連接する第２のダクト３５と、送風機３７と、を備える。
【００２５】
送風機３７は、送風機筐体を有する。送風機筐体は、プレート前面４３（第１の面の一例）と、プレート背面４５（第２の面の一例）と、を有する。プレート前面４３は、第１の吸気口４７を有する。プレート背面４５は、第２の吸気口４９（図５）を有する。第１のダクト２９は、撮像センサ１９とＩＣ３３との間の領域に設けられる。
【００２６】
吸気口３９の内側には、空気の流路を徐々に絞った外気導入部が配置される。外気導入部は、下流端が第１のダクト２９（図４）と接続される。第１のダクト２９は、送風機３７の第１の吸気口４７に通じる。第２のダクト３５は、送風機３７の第２の吸気口４９に通じる。
【００２７】
第１のダクト２９を流れる空気は、第２のダクト３５が連接する連接部５１（図５）と、送風機３７の第１の吸気口４７（図４）と、に流入する。第１のダクト２９の下部は、閉塞されている。連接部５１を介して第２のダクト３５へ流れた空気は、送風機３７の第２の吸気口４９に流入する。
【００２８】
第１のダクト２９は、上端が吸気口３９に接続される。第１のダクト２９は、撮像センサ１９に熱的に接触する放熱板５３を備える。放熱板５３は、第１のダクト２９の前側の内壁面で流路に向かって露出する。
【００２９】
放熱板５３には、左右方向に所定のピッチＰで離間した複数のフィン５５（図５）が、上下方向に延在して形成される。フィン５５同士の間には、上方の吸気口３９から流入した空気が、熱交換しながら下方へ流れる。下方へ流れた空気は、フィン５５に対向する送風機３７のプレート前面４３に開口する第１の吸気口４７から送風機３７へ吸い込まれる。
【００３０】
第１のダクト２９は、フィン５５のピッチＰよりも、フィン５５の先端（後端）とプレート前面４３との距離Ｄの方が長くなるように形成されている。
【００３１】
図５に示すように、第１のダクト２９は、撮像センサ１９の背部で、前後方向よりも左右方向に長い矩形状の流路を形成している。この流路を挟み撮像センサ１９側には、複数のフィン５５が左右方向に並ぶ放熱板５３が露出する。一方、第１のダクト２９の流路を挟んで放熱板５３の反対側には、第１ダクト隔壁板５７が設けられる。第１ダクト隔壁板５７の下部には、送風機３７が配置される。送風機３７は、プレート前面４３が第１のダクト２９の流路に露出する。このプレート前面４３には、送風機３７の上記した第１の吸気口４７が開口する。
【００３２】
第１のダクト２９の流路には、下側の右端に連接部５１が配置される。
【００３３】
即ち、第１のダクト２９は、空気の流れに垂直な方向の断面が矩形状で形成されている。連接部５１が、矩形状の長手方向一方の右端に配置される。連接部５１は、送風機３７の右端を後方に向かって横切り、送風機３７の背部に形成される第２のダクト３５に接続する。第２のダクト３５には、送風機３７のプレート背面４５が露出する。このプレート背面４５には、上記の第２の吸気口４９が開口する。
【００３４】
即ち、連接部５１から第２のダクト３５に流入した空気は、この第２の吸気口４９から送風機３７に吸い込まれる。送風機３７に吸い込まれた空気は、送風機３７の左方に設けられた排気口４１から外部へ排気される。
【００３５】
従って、カメラモジュール１１は、第１のダクト２９における空気の流れ方向（上下方向）と、送風機３７による空気の排気方向（左右方向）とは、異なる方向となっている。
【００３６】
図６は、図３に示した背面カバー１７を取り外した電子機器の斜視図である。
前面カバー１５には、複数の固定柱５９によって印刷回路基板３１が固定ビスにより固定される。印刷回路基板３１の背面には、ＩＣ３３（例えばＦＰＧＡ：Field-Programmable Gate Array）が実装される。ＩＣ３３の背面には、上下に長い矩形状の導熱板６１がＩＣ３３に熱的に接触して取り付けられている。ＩＣ３３と導熱板６１とは、例えば、熱伝導材や熱伝導シートなどを介して密着固定される。導熱板６１には、熱伝導率の大きい例えば銅板やアルミ板などが用いられる。
【００３７】
導熱板６１の下部には、導熱板６１の一部分を切り欠いて送風機３７が配置される。送風機３７には、例えば、ファン（図示略）の回転中心軸が前後方向に沿う方向となるシロッコファンが用いられる。送風機３７は、回転中心軸と同心円で配置された円板状の背面プレート６３の中央部に、第２の吸気口４９が開口する。カメラモジュール１１では、第２の吸気口４９が開口するプレート背面４５を、第２の面とも称す。
【００３８】
送風機３７は、ファンを挟んで第２の吸気口４９の反対側に、回転中心軸と同心円で配置された円板状の前面プレート６５（図４）が取り付けられる。送風機３７は、前面プレート６５の中央部に、第１の吸気口４７が開口する。カメラモジュール１１では、第１の吸気口４７が開口するプレート前面４３を、第１の面とも称す。
【００３９】
送風機３７の外周には、背面プレート６３を包囲して第２ダクト周壁６７が形成される。第２ダクト周壁６７は、下部に右方向へ向けて突出する四角形の短尺ダクト壁６９が連続して形成される。これら第２ダクト周壁６７と短尺ダクト壁６９とは、第２のダクト３５の一部を形成する。この第２のダクト３５の内方には、上記した導熱板６１の下端が延出して配置されている。この延出した導熱板６１の下部は、短尺ダクト壁６９の内側に包囲される。
【００４０】
即ち、第２のダクト３５には、ＩＣ３３に熱的に接触した導熱板６１が内壁面に露出している。
【００４１】
図７は、図３に示した背面カバー１７を前側から見た斜視図である。
背面カバー１７の前面（組付け時に機器筐体１３の内側となる面）には、第２のダクト３５の一部を形成する環状のリブ７１が突設される。リブ７１は、連続する第２ダクト周壁６７及び短尺ダクト壁６９と嵌合するように形成される。つまり、第２のダクト３５は、背面カバー１７が前面カバー１５に取り付けられることにより、第２ダクト周壁６７及び短尺ダクト壁６９に、リブ７１が嵌合して密閉されることにより形成される。
【００４２】
図６に示した送風機３７の左側には、上下に長い送風機３７の吹出口７３が形成される。吹出口７３は、背面カバー１７が前面カバー１５に取り付けられることにより、排気口４１の内側に近接して配置される。これにより、送風機３７は、吹出口７３から吹き出された空気を、排気口４１から外部へ排気する。
【００４３】
上記した構成を有するカメラモジュール１１は、例えばジンバルに装着されて使用される。ジンバルは、把持部に対して、２軸や３軸の軸を中心としてカメラモジュール１１を電動により回転させる取付台を有する。これにより、例えば、重量のある望遠レンズユニットを結合したカメラモジュール１１を、手持ちで動画撮影する際の手ブレを抑止することが可能となっている。
【００４４】
次に、上記した構成の作用を説明する。
【００４５】
本実施形態に係るカメラモジュール１１は、第１の熱源と、第２の熱源と、外部の空気を導入する第１のダクト２９と、第１のダクト２９に連接する第２のダクト３５と、送風機３７と、を備える。送風機３７は、送風機３７の筐体が第１の面と第２の面と、を有する。第１の面は、第１の吸気口４７を有する。第２の面は、第２の吸気口４９を有する。第１のダクト２９は、第１の熱源と第２の熱源との間の領域に設けられ、第１の吸気口４７に通じる。第２のダクト３５は、第２の吸気口４９に通じる。
【００４６】
これにより、カメラモジュール１１は、第１のダクト２９の空気で、第１の熱源を冷却できる。また、カメラモジュール１１は、第１のダクト２９の空気を第２のダクト３５に導入でき、よって第１の熱源を冷却した空気を再利用して、第２の熱源を冷却できる。このため、第２のダクト３５への外部の空気の直接の導入を不要にしているので、第２のダクト３５を小型化できる。その結果、カメラモジュール１１全体の小型化に寄与する。また、カメラモジュール１１では、送風機３７に第１の面と第２の面（両面）から空気を吸気できる。これにより、カメラモジュール１１は、吸気口面積を増大させ、吸気抵抗を抑制して、流入空気の安定化（乱流発生による搬送エネルギー損失の低減）を図ることができる。その結果、カメラモジュール１１は、送風機３７の利用（空気搬送）効率を向上できる。
【００４７】
カメラモジュール１１において、第１のダクト２９を流れる空気は、第１のダクト２９と第２のダクト３５とが連接する連接部５１と、第１の吸気口４７と、に流入する。連接部５１を介して第２のダクト３５へ流れた空気は、第２の吸気口４９に流入する。
【００４８】
このカメラモジュール１１では、吸気口３９から第１のダクト２９に流入した空気は、第１の熱源を通過した後、下流側に位置する第１の吸気口４７から送風機３７に吸い込まれる。送風機３７に吸い込まれた第１のダクト２９の空気は、機器筐体１３に開口する排気口４１から外部へ排気される。
【００４９】
これに加え、第１のダクト２９には、連接部５１が設けられる。連接部５１は、第２のダクト３５に通じる。連接部５１を介して第１のダクト２９から第２のダクト３５に流入した空気は、導熱板６１に接して通過した後、下流側に位置する第２の吸気口４９から送風機３７に吸い込まれる。送風機３７に吸い込まれた第２のダクト３５の空気は、第１のダクト２９から吸い込まれた空気と合流して機器筐体１３に開口する排気口４１から外部へ排気される。
【００５０】
カメラモジュール１１は、第２の熱源に熱的に接触した導熱板６１を備えてよい。導熱板６１は、第２のダクト３５の内壁面に露出してよい。
【００５１】
このカメラモジュール１１では、ＩＣ３３に、導熱板６１が熱的に接触して設けられる。導熱板６１は、例えば矩形状に形成され、長手方向の上端に、ＩＣ３３が熱的に接触する。導熱板６１は、長手方向の下端が、第２のダクト３５の内壁面に露出する。第２のダクト３５は、この露出した導熱板６１を挟んで、一方に連接部５１が位置し、他方に第２の吸気口４９が位置する。従って、連接部５１から第２のダクト３５に流入した空気は、導熱板６１を冷却しながら流れた後、第２の吸気口４９から送風機３７に吸い込まれる。導熱板６１と熱的に接触したＩＣ３３は、導熱板６１の下端が冷却されることにより、冷却される。
【００５２】
このカメラモジュール１１では、第２のダクト３５とＩＣ３３とが多少離間して配置されていても、導熱板６１の熱伝導によりＩＣ３３を冷却できる。また、ＩＣ３３と第２のダクト３５とを離間させることができるので、限られたスペース内でのＩＣ３３と第２のダクト３５との位置関係の自由度を高めることができる。なお、例えば、第２のダクト３５の前側の内壁面として導熱板６１が露出する。また、導熱板６１の他に、プレート背面４５、第２ダクト周壁６７、短尺ダクト壁６９、リブ７１、背面カバー１７、等の一部も、第２のダクト３５の内壁面となり得る。
【００５３】
カメラモジュール１１において、第１のダクト２９における空気の流れ方向と、送風機３７による空気の排気方向とは、異なる方向でよい。
【００５４】
このカメラモジュール１１では、始端が吸気口３９となる第１のダクト２９の空気の流れ方向と、異なる方向で排気がなされる。吸気は、ユーザに与える影響が比較的少ない。一方、排気は、ユーザに吹き付けられると不快となる場合がある。また、機器筐体１３は、下方で支持（例えばジンバルに設置しての支持）されることが想定される。このため、排気の方向は、前後上下方向を除いた左右方向が比較的好ましい。この場合、第１のダクト２９における空気の流れ方向を上下方向とすることにより、排気方向を左右方向のいずれに向けることができる。これにより、カメラモジュール１１は、例えば、下方向にまっすぐ排気されて、ユーザの持ち手方向に排気されることを抑制できる。
【００５５】
また、第１のダクト２９における空気の流れ方向と排気方向とが異なることは、狭小スペースにおいても、空気の搬送効率が低下しにくく、吸い込み方向と排気方向が略直交方向となるシロッコファンの適用にも好都合となる。
【００５６】
カメラモジュール１１は、第１の熱源に熱的に接触する放熱板５３を備えてよい。放熱板５３は、第１のダクト２９の内壁面に露出してよい。
【００５７】
このカメラモジュール１１では、第１の熱源の熱が、熱的に接触する放熱板５３に伝わる。放熱板５３に伝わった熱は、熱伝導により放熱板５３の全体に伝わる。放熱板５３は、第１のダクト２９の内壁面に露出する。放熱板５３の熱は、第１のダクト２９を流れる低温の空気に熱伝達により伝わる。空気に放熱した放熱板５３は、冷却される。これにより、撮像センサ１９は、放熱板５３を介して冷却される。なお、第１のダクト２９は、例えば、前後方向で対向する一対の内壁面のうち、前側の内壁面に、放熱板５３が露出する。一方、第１のダクト２９は、例えば、後側の内壁面の上部が第１ダクト隔壁板５７となり、下部が送風機３７の前面プレート６５となる。
【００５８】
カメラモジュール１１において、放熱板５３は、所定のピッチＰで離間した複数のフィン５５を有してよい。フィン５５のピッチＰよりも、フィン５５の先端と第１の面との距離Ｄの方が長くてよい。
【００５９】
このカメラモジュール１１では、第１のダクト２９が上下方向に延在する。第１のダクト２９は、上端が吸気口３９に接続し、下端が送風機３７の第１の吸気口４７に接続する。つまり、第１のダクト２９を通る空気は、上から下へ流れる。第１のダクト２９の延在方向に直交する断面形状は、前後方向よりも左右方向に長い矩形状となる。換言すると、前後方向に薄厚の流路を形成している。これにより、機器筐体１３の前後方向の厚みが抑制されている。
【００６０】
放熱板５３には、左右方向に所定のピッチＰで離間した複数のフィン５５が、上下方向に延在して形成される。これらのフィン５５同士の間には、上方の吸気口３９から流入した空気が、熱交換しながら下方へ流れる。
【００６１】
ここで、フィン５５のピッチＰよりも、フィン５５の先端と第１の面との距離Ｄの方が長く設定されている。フィン５５の先端と、第１の面との間には、放熱板５３を左右方向に横断するフィン外流路が形成される。このフィン外流路は、第１のダクト２９の流路の一部となる。第１のダクト２９は、フィン外流路が形成されていることにより、放熱板５３を左右方向に横切る空気の流れが容易となっている。このため、空気が連接部５１を介して第２のダクトへ回り込み易くなっている。
【００６２】
カメラモジュール１１において、第１のダクト２９は、空気の流れに垂直な方向の断面が矩形状で形成されてよい。連接部５１が、矩形状の長手方向一方の端に配置されてよい。
【００６３】
このカメラモジュール１１では、第１のダクト２９は、放熱板５３と対向する後側の内壁面（第１ダクト隔壁板５７）に縦長の連接部５１が開口される。この連接部５１は、第１ダクト隔壁板５７における左右方向の右端に開口している。放熱板５３には、中央部から放射方向に撮像センサ１９からの熱が伝わる。従って、放熱板５３の周縁は、中央部よりも温度が低い。
【００６４】
連接部５１は、放熱板５３の右端側（即ち、周縁側）に対向して開口していることから、比較的温度の低い熱交換後の空気を、第２のダクト３５へ吸引することができる。なお、この吸引は、第２のダクト３５に送風機３７の第２の吸気口４９を開口させることにより、負圧とすることで実現される。この際、第１のダクト２９は、フィン外流路が形成されているため、放熱板５３を左右方向に横切る空気の流れが容易となるので、連接部５１を介して第１のダクト２９の空気を第２のダクト３５へ流入し易くできる。
【００６５】
これにより、カメラモジュール１１は、放熱板５３の中央付近ではなく周端部付近の空気を、連接部５１を介して第２のダクト３５へ導入し易くすることで、ＩＣ３３を冷却し易くできる。
【００６６】
カメラモジュール１１において、第１の熱源は、撮像センサ１９でよい。このカメラモジュール１１では、吸気口３９から取り入れられた第１のダクト２９の主流となる多くの外気で、撮像センサ１９を冷却できる。
【００６７】
カメラモジュール１１において、第２の熱源は、ＩＣ３３でよい。このカメラモジュール１１は、第１のダクト２９から連接部５１を介して流入した空気で、ＩＣ３３を冷却できる。ＩＣ３３は、撮像センサ１９よりも保証温度が高い。例えば、撮像センサ１９の保証温度は、６５℃程度、ＩＣ３３の保証温度は１００℃程度である。このため、撮像センサ１９を冷却した後の空気が、連接部５１を介して第２のダクト３５に取り込まれても、カメラモジュール１１は、ＩＣ３３を動作可能に冷却することが可能となる。
【００６８】
カメラモジュール１１は、ジンバルに装着されてよい。
【００６９】
このカメラモジュール１１では、ジンバルカメラとするとき、下側に取り付けたグリップを持つ手とは異なる方向に排気することができる。これにより、カメラモジュール１１は、機器筐体１３の排気口４１から排出される熱交換後の外気を、ユーザに当たらないようにすることができる。
【００７０】
従って、本実施形態に係るカメラモジュール１１によれば、複数の熱源を冷却する場合でも冷却効率を向上でき、小型化できる。
【００７１】
以上、実施形態を用いて本開示を説明したが、本開示の技術的範囲は上述した実施形態に記載の範囲には限定されない。上述した実施形態に、多様な変更又は改良を加えることが当業者に明らかである。その様な変更又は改良を加えた形態も本開示の技術的範囲に含まれ得ることが、特許請求の範囲の記載からも明らかである。
【００７２】
上記実施形態では、電子機器の一例として、カメラモジュール１１を示したが、複数の熱源を有するその他の電子機器でもよい。例えば、電子機器は、複数の保証温度が異なる電子部品が実装される電子機器であってもよい。また、電子機器は、独立して使用されてもよいし、ジンバルに取り付けられて電子機器の姿勢が安定化されて使用されてもよいし、無人航空機にジンバルを介して取り付けて使用されてもよい。
【符号の説明】
【００７３】
１１  カメラモジュール
１９  撮像センサ
２９  第１のダクト
３３  ＩＣ
３５  第２のダクト
３７  送風機
４３  プレート前面
４５  プレート背面
４７  第１の吸気口
４９  第２の吸気口
５１  連接部
５３  放熱板
５５  フィン
６１  導熱板
Ｐ  ピッチ
【要約】
【課題】複数の熱源を冷却する場合でも冷却効率を向上でき、小型化できる電子機器を提供する。
【解決手段】電子機器は、第１の熱源と、第２の熱源と、外部の空気を導入する第１のダクトと、第１のダクトに連接する第２のダクトと、送風機と、を備え、送風機は、送風機の筐体が第１の面と第２の面と、を有し、第１の面は第１の吸気口を有し、第２の面は第２の吸気口を有し、第１のダクトは、第１の熱源と第２の熱源との間の領域に設けられ、第１の吸気口に通じ、第２のダクトは、第２の吸気口に通じる。
【選択図】図４【図１】
0006817393.tif 000002
【図２】
0006817393.tif 000003
【図３】
0006817393.tif 000004
【図４】
0006817393.tif 000005
【図５】
0006817393.tif 000006
【図６】
0006817393.tif 000007
【図７】
0006817393.tif 000008